(57)【要約】【課題】  印刷物を得るまでの時間をさらに短縮し、且つ印刷が行われない際の無駄な消費電力を低減する。【解決手段】  外部装置から送信された画像形成を指示に対応する識別情報を受信する受信装置と、受信装置で受信した識別情報を認証する認証装置と、画像形成装置に向けて識別情報を送信する送信装置から受信装置までの距離を検出し、検出された距離に応じて画像形成装置の状態を遷移させることを特徴とする画像形成装置。【選択図】  図１
2016199013.tif 000002
【特許請求の範囲】
【請求項１】
外部装置から送信された画像形成の指示に基づき画像を形成する画像形成装置において、
前記外部装置から送信された前記画像形成の指示と前記画像形成の指示に対応する識別情報を受信する受信手段と、
前記受信手段で受信した前記識別情報を認証する認証手段と、
前記画像形成装置に向けて前記識別情報を送信する送信手段から前記受信手段までの距離を検出する検出手段と、
前記検出手段により検出された前記距離に応じて前記画像形成装置の状態を遷移させることを特徴とする画像形成装置。
【請求項２】
前記識別情報を送信する送信手段と、前記識別情報を受信する受信手段が、無線方式で通信することを特徴とする請求項１記載の画像形成装置。
【請求項３】
前記識別情報を送信する送信手段は、情報携帯端末を含むことを特徴とする請求項１または２に記載の画像形成装置。
【請求項４】
前記送信手段から前記受信手段までの距離を検出する前記検出手段は、前記受信手段の受信信号の強度に基づいて行われることを特徴とする請求項１乃至３のいずれか１項に記載の画像形成装置。
【請求項５】
前記画像形成装置の状態は、少なくとも省電力モード、スタンバイモード、プリントモードを含み、前記検出手段によって検出された距離が第一閾値の場合に、前記省電力モードから前記スタンバイモードに遷移することを特徴とする請求項１乃至４のいずれか１項に記載の画像形成装置。
【請求項６】
前記距離が第一閾値より小さい第二閾値の場合に、前記スタンバイモードから前記プリントモードに遷移することを特徴とする請求項５に記載の画像形成装置。
【請求項７】
前記画像形成装置の状態は、画質を調整するキャリブレーションモードを有し、前記キャリブレーションモードを実行するか否かに応じて、前記送信手段と前記受信手段との距離に基づく前記画像形成装置の状態の遷移を変更することを特徴とする請求項１乃至６のいずれか１項に記載の画像形成装置。
【請求項８】
前記キャリブレーションモードは、画像の濃度を補正するモードを含むことを特徴とする請求項７に記載の画像形成装置。
【請求項９】
前記第一閾値、又は前記第二閾値を変更する変更手段を有することを特徴とする請求項６に記載の画像形成装置。
【請求項１０】
前記送信手段が、前記外部装置から前記外部装置と前記画像形成装置の間の所定位置に達するまでの時間に基づき、前記第一閾値、又は前記第二閾値を補正する補正手段を有することを特徴とする請求項６に記載の画像形成装置。
【請求項１１】
前記画像形成装置の状態に応じて、前記識別情報を送信する送信手段からの送信間隔を変更することを特徴とする請求項１乃至６のいずれか１項に記載の画像形成装置。
【請求項１２】
前記外部装置から画像データを送信する前後で、前記識別情報を送信する送信手段の送信間隔を変更することを特徴とする請求項１乃至６のいずれか１項に記載の画像形成装置。
【請求項１３】
前記外部装置からの画像データを送信する前よりも、画像データを送信した後の方が、
前記識別情報を送信する送信手段の送信間隔が短いことを特徴とする請求項１２に記載の画像形成装置。
【請求項１４】
前記外部装置から送信される画像データに基づいた画像形成が開始する前後で、前記識別情報を送信する送信手段の送信間隔を変更することを特徴とする請求項１乃至６のいずれか１項に記載の画像形成装置。
【請求項１５】
前記外部装置から送信される画像データに基づいた画像形成が開始する前よりも、画像形成が開始した後の方が、前記識別情報を送信する送信手段の送信間隔が長いことを特徴とする請求項１４記載の画像形成装置。
【請求項１６】
前記送信手段は、非接触方式の送信手段と接触方式の送信手段を含み、
前記受信手段は、非接触方式の受信手段と接触方式の受信手段を含み、
前記認証手段が、前記非接触方式の受信手段で受信した識別情報、及び前記接触方式で受信した識別情報を認証した場合に、前記プリントモードに遷移することを特徴とする請求項５に記載の画像形成装置。
【発明の詳細な説明】
【技術分野】
【０００１】
本発明は、ＩＤ認証機能を有した画像形成装置に関するものである。
【背景技術】
【０００２】
従来、プリンタや複写機などの画像形成装置で画像が形成された印刷物の取り忘れ、又、持ち去りによる情報漏洩の課題がある。これを防止するために、画像形成装置に設置されたＩＣカードリーダにＩＣカードを読み取らせ、ＩＤ認証が行われてから印刷を開始する装置が知られている。
【０００３】
また一定期間、情報端末等から画像形成装置に画像形成指示が入力されない場合に省電力状態への移行する装置も増えている。昨今の省エネルギー化の意識の高まりにより、この一定期間をより短く設定する装置も多くなっているおり、画像形成装置が省電力状態からの印刷を開始する割合が増加してきている。
【０００４】
ＩＤ認証機能を有した画像形成装置では、ＩＤ認証が完了してから画像形成装置が準備動作（ウォームアップともいう）を開始して画像形成を行うため、ユーザがＩＤ認証を行ってから印刷物を得るまでに時間を要してしまう。従って、近年、ユーザが印刷物を得るまでの時間を短縮するための様々な工夫がされている。
【０００５】
例えば、特許文献１に記載の画像形成装置では、情報端末から画像形成指示が入力された時点で、画像形成装置は省電力状態を解除し、画像形成を行うための所定の準備動作を開始する。準備動作を早く開始しているため、この状態でＩＤ認証が完了した場合は、即座に画像形成を行い、印刷物を比較的短い時間で得ることができる。一方、この状態でＩＤ認証が一定期間行われなかった場合は、再び画像形成装置は省電力状態へと移行する。
【先行技術文献】
【特許文献】
【０００６】
【特許文献１】特開２０１４−２６０８７号公報
【発明の概要】
【発明が解決しようとする課題】
【０００７】
特許文献１の画像形成装置でも印刷物を得るまでの時間を短縮することができる。しかしながら印刷指示をしてから一定時間経過してもＩＤ認証されない場合は、省電力状態に移行するため、その後ＩＤ認証された場合には従来と同様に印刷物を得るまでに時間を要してしまう。従って、ＩＤ認証を行いつつ、印刷物を得るまでの時間をさらに短縮し、且つ印刷が行われない際の無駄な消費電力を低減した画像形成装置を提供することが求められていた。
【課題を解決するための手段】
【０００８】
上記課題を解決するため、本発明の画像形成装置は、外部装置から送信された画像形成の指示に基づき画像を形成する画像形成装置において、前記外部装置から送信された前記画像形成の指示と前記画像形成を指示に対応する識別情報を受信する受信手段と、前記受信手段で受信した前記識別情報を認証する認証手段と、前記画像形成装置に向けて前記識別情報を送信する送信手段から前記受信手段までの距離を検出する検出手段と、前記検出手段により検出された前記距離に応じて前記画像形成装置の状態を遷移させることを特徴とする。
【発明の効果】
【０００９】
以上説明したように、本出願にかかる発明によれば、印刷物を得るまでの時間をさらに短縮し、且つ印刷が行われない際の無駄な消費電力を低減することが可能となる。
【図面の簡単な説明】
【００１０】
【図１】画像形成システムの構成図
【図２】レーザービームプリンタの構成図
【図３】レーザービームプリンタの制御構成ブロック図
【図４】無線ＩＤ認証装置と無線ＩＤ送信装置の制御構成ブロック図
【図５】無線ＩＤ認証装置と無線ＩＤ送信装置の距離とＲＳＳＩの関係を示した図
【図６】レーザービームプリンタの状態遷移図
【図７】パーソナルコンピュータと無線ＩＤ認証装置を有したレーザービームプリンタと無線ＩＤ送信装置の位置関係を示したブロック図
【図８】レーザービームプリンタの状態遷移を示すフローチャート
【図９】キャリブレーションモード（トナー濃度補正モード）が有る場合のレーザービームプリンタの状態遷移を示すフローチャート
【図１０】レーザービームプリンタの状態遷移基準の補正を説明する図
【図１１】レーザービームプリンタの状態遷移基準の自動補正を説明する図
【図１２】レーザービームプリンタの状態遷移と無線ＩＤ送信装置と無線ＩＤ認証装置の通信周期を示した図
【図１３】非接触方式と接触方式のＩＤ認証機能を有した画像形成システムの構成図
【図１４】非接触方式と接触方式のＩＤ認証機能を有したレーザービームプリンタの状態遷移を示すフローチャート
【発明を実施するための形態】
【００１１】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００１２】
（実施例１）
［画像形成システムの構成］
図１は実施例１に係る画像形成システムの構成図である。画像形成システムはネットワーク１に接続された外部装置の一例であるパーソナルコンピュータ２、同じくネットワーク１に接続された画像形成装置の一例であるレーザービームプリンタ３から構成される。更に、レーザービームプリンタ３に設置されたユーザＩＤ（識別情報）を受信する受信手段の一例である無線ＩＤ認証装置７、及びユーザが所有するユーザＩＤを送信する送信手段の一例である無線ＩＤ送信装置８を有する。すなわち、無線方式（非接触方式ともいう）で通信することを前提としている。ユーザが印刷を指示する際は、パーソナルコンピュータ２からネットワーク１を介して、レーザービームプリンタ３に印刷を指示するコマンド及び画像データ、印刷指示したユーザに対応するユーザＩＤを送信する。レーザービームプリンタ３は印刷に関するコマンドや、画像データを受信した時点では印刷動作に移行しない。そして、ユーザが所有する無線ＩＤ送信装置８から送信されるＩＤをレーザービームプリンタ３に搭載された無線ＩＤ認証装置７に受信することで、ＩＤ認証と関連付けられて印刷動作を実施する。
【００１３】
［レーザービームプリンタ３の構成］
図２は本発明に係るレーザービームプリンタ３の構成図である。先ず同図を用い、レーザービームプリンタ３の構成について説明する。レーザービームプリンタ３はイエロー（Ｙ）、マゼンダ（Ｍ）、シアン（Ｃ）、ブラック（Ｋ）の４色のトナーを重ねあわせることでフルカラー画像を出力できるように構成されている。そして各色の画像形成のために、レーザスキャナ（３１Ｙ、３１Ｍ、３１Ｃ、３１Ｋ）とカートリッジ（３２Ｙ、３２Ｍ、３２Ｃ、３２Ｋ）が備えられている。カートリッジ（３２Ｙ、３２Ｍ、３２Ｃ、３２Ｋ）は、図中矢印の方向に回転する感光体（３３Ｙ、３３Ｍ、３３Ｃ、３３Ｋ）と、感光体（３３Ｙ、３３Ｍ、３３Ｃ、３３Ｋ）をクリーニングするクリーナ（３４Ｙ、３４Ｍ、３４Ｃ、３４Ｋ）を有する。さらに、帯電ローラ（３５Ｙ、３５Ｍ、３５Ｃ、３５Ｋ）、及び現像ローラ（３６Ｙ、３６Ｍ、３６Ｃ、３６Ｋ）を有している。更に各色の感光体（３３Ｙ、３３Ｍ、３３Ｃ、３３Ｋ）には中間転写ベルト３７が接して設けられ、この中間転写ベルト３７を挟み、対向するように一次転写ローラ（３８Ｙ、３８Ｍ、３８Ｃ、３８Ｋ）が設置されている。また中間転写ベルト３７にはベルト駆動ローラ３９により回転駆動される。感光体３３（Ｙ、Ｍ、Ｃ、Ｋ）の周囲に近接して配置され、感光体３３に作用する各部材（帯電ローラ３５（Ｙ、Ｍ、Ｃ、Ｋ）、現像ローラ３６（Ｙ、Ｍ、Ｃ、Ｋ）及び一次転写ローラ３８（Ｙ、Ｍ、Ｃ、Ｋ））のことを、プロセス手段ともいう。
【００１４】
一方、シートＰはカセット４１に格納されている。カセット４１側のシートＰの搬送路には給紙ローラ４２、分離ローラ４３ａ、４３ｂが設けられている。搬送路には、レジストレーションローラ４４（以下、レジローラ４４という）が設けられ、レジローラ４４のシート搬送方向下流側近傍にセンサ４５が設けられている。中間転写ベルト３７と接するように二次転写ローラ４６、そして二次転写ローラ４６の後段に定着器４７が設置されている。更に中間転写ベルト３７上の濃度補正用のトナー像を検出できるように、トナー濃度検知センサ４８が設けられている。
【００１５】
［レーザービームプリンタ３の制御構成］
図３は本発明に係るレーザービームプリンタ３の制御構成ブロック図である。レーザービームプリンタ３のプリンタ制御部５はＣＰＵ５１、このＣＰＵ５１により実行されるプログラムなどを記憶しているＲＯＭ５２、ＣＰＵ５１による制御処理時に各種データを記憶するＲＡＭ５３を搭載している。そしてプリンタ制御部５はネットワーク１上を経由してパーソナルコンピュータ２から送信された、印刷に関するコマンドや、画像データであるジョブとジョブに関連づけられたユーザＩＤを受信する。
【００１６】
プリンタ制御部５と接続された無線ＩＤ認証装置７は、後述する無線ＩＤ送信装置８から送信されるユーザＩＤを受信し、ジョブに関連付けられたユーザＩＤであるかを認証し、認証結果をプリンタ制御部５に送信する。またプリンタ制御部５は定着制御部５５を始めとする様々な制御部と接続されている。定着制御部５５は定着器４７に電力の投入を制御することで温度調整を行っている。
【００１７】
画像処理部５６はプリンタ制御部５がパーソナルコンピュータ２から受信した画像データをＲＧＢ信号からＣＭＹＫ信号に変換し、階調、濃度補正を加えた後に、レーザスキャナ（３１Ｙ、３１Ｍ、３１Ｃ、３１Ｋ）用の露光信号を生成する。露光制御部５７は、レーザスキャナ（３１Ｙ、３１Ｍ、３１Ｃ、３１Ｋ）の駆動を行うほか、モータ（不図示）の駆動や、レーザ光量の補正等を行っている。高圧制御部５８は画像形成に必要な感光体（３３Ｙ、３３Ｍ、３３Ｃ、３３Ｋ）への帯電や、現像バイアス、中間転写ベルト３７への一次転写バイアス、シートＰへの二次転写バイアス等の印加を行っている。
【００１８】
駆動制御部５９は感光体（３３Ｙ、３３Ｍ、３３Ｃ、３３Ｋ）や現像ローラ（３６Ｙ、３６Ｍ、３６Ｃ、３６Ｋ）、中間転写ベルト３７を回転する作像系モータ（不図示）の駆動、及びシートＰを搬送する搬送モータ（不図示）の駆動を行っている。センサ制御部６０はトナー残量の検出やシート搬送路におけるシートＰの位置検出や、トナー濃度検知センサ４８を用いたて中間転写ベルト３７上のトナーパターンの検出を行い色ずれ補正や、トナー濃度補正を行っている。
【００１９】
なお、レーザービームプリンタ３は、以下の３つの動作モードで動作する。画像形成を実行している状態のＰＲＩＮＴモード（プリントモード）、画像形成が即座に実行できる状態のＳＴＡＮＢＹモード（スタンバイモード）、省電力状態のＳＬＥＥＰモード（スリープモード、又は省電力モード）である。
【００２０】
電源制御部６１は後述するレーザービームプリンタ３の動作状態に応じて、電力を供給する範囲を制御する。例えば、ＳＬＥＥＰモードでは、プリンタ制御部５と無線ＩＤ認証装置７のみに電力を供給すし、ＰＲＩＮＴモード、ＳＴＡＮＢＹモードでは、全ての制御部に電力を供給するように供給する電力を制御する。
【００２１】
［無線ＩＤ送信装置８と無線ＩＤ認証装置７の構成］
図４は本発明に係る無線ＩＤ認証装置７と無線ＩＤ送信装置８の制御構成ブロック図である。先ず無線ＩＤ認証装置７の構成について説明する。ＭＰＵ７１はプリンタ制御部５と接続されており、シリアル通信にて、プリンタ制御部５とデータの送受信を行う。更にＭＰＵ７１は変調器７２、復調器７４、及びＡ／Ｄコンバータ７５と接続されている。変調器７２はＭＰＵ７１から送信されたデータを変調しアンテナ７３に送信する。アンテナ７３は変調された信号を無線信号（電波）として外部に送信する。また外部からの無線信号はアンテナ７３で受信され、復調器７４とＡ／Ｄコンバータに送信される。復調器７４ではアンテナ７３で受信した信号を復調しＭＰＵ７１に送信する。またＡ／Ｄコンバータ７５はアンテナ７３で受信した無線信号の受信信号強度（Ｒｅｃｅｉｖｅｄ  Ｓｉｇｎａｌ  Ｓｔｒｅｎｇｔｈ  Ｉｎｄｉｃａｔｉｏｎ：以後ＲＳＳＩと呼ぶ）をＭＰＵ７１に送信する。
【００２２】
次に無線ＩＤ送信装置８の構成について説明する。ＭＰＵ８１は変調器８２、復調器８４と接続されている。変調器８２はＭＰＵ８１から送信されたデータを変調しアンテナ８３に送信する。アンテナ８３は変調された信号を無線信号（電波）として外部に送信する。また外部からの無線信号はアンテナ８３で受信され、復調器８４に送信される。復調器８４ではアンテナ８３で受信した無線信号を復調しＭＰＵ８１に送信する。なお無線ＩＤ送信装置８は可搬装置であってバッテリー８５によって駆動される。なおバッテリー８５としては、非充電式のリチウム電池や、充電式のリチウムイオン電池等を使用することが可能である。
【００２３】
無線ＩＤ送信装置８は定期的にユーザＩＤを送信し続け、無線ＩＤ認証装置７はパーソナルコンピュータ２からジョブと共に送信されたユーザＩＤをもとに、無線ＩＤ送信装置８とのＩＤ認証を実施する。
【００２４】
図５は無線ＩＤ認証装置７と無線ＩＤ送信装置８の距離とＲＳＳＩの関係図である。実線は複数回測定におけるＲＳＳＩの近似曲線である。自由空間における電波（直接波）は球面状に広がることから、距離の二乗に比例して減衰することが知られており、電波の伝搬損失は次の式（１）で表すことができる。
【００２５】
伝搬損失Ｌ（ｄＢ）＝２０ｌｏｇ（４πｄ／λ）・・・（１）
λ：波長（ｍ）、ｄ：距離（ｍ）
一方、電波は直接波に加え、床や他の物体で反射された反射波の影響も受ける。従って、無線ＩＤ認証装置７と無線ＩＤ送信装置８の距離が一定であっても、位置関係によっては、無線ＩＤ認証装置７が受信した時のＲＳＳＩには、ある程度のばらつきが発生する。しかし、正確に無線ＩＤ認証装置７と無線ＩＤ送信装置８の距離を測定することはできないものの、検出手段としてのプリンタ制御部５は、ＲＳＳＩを用いて、ある程度の誤差の範囲で、無線ＩＤ認証装置７と無線ＩＤ送信装置８の距離を測定することができる。
【００２６】
［レーザービームプリンタ３の状態と遷移］
図６はレーザービームプリンタ３の状態遷移図である。先ず各状態について説明する。ＳＬＥＥＰモードはパーソナルコンピュータ２からのジョブをネットワーク１経由で受信する機能を始めとする最小限の機能のみに電力が供給されている状態である。例えばプリンタ制御部５の一部機能と電源制御部６１、無線ＩＤ認証装置７のみに電力が供給されている状態である。
【００２７】
ＳＴＡＮＤＢＹモードでは、定着制御部５５を始めとする全ての制御部が、すぐに動作を開始できるように、電源制御部６１が全ての制御部に電力を供給する。また、ＷＡＲＭＩＮＧ  ＵＰモードでは、定着制御部５５は定着器４７に電力を供給することで加熱を始める。また画像処理部５６では受信した画像データの画像処理を開始し、更には露光制御部５７も図示しないモータを回転駆動させることで画像形成の準備を行う。ＰＲＩＮＴモードでは、駆動制御部５９により、カートリッジ（３２Ｙ、３２Ｍ、３２Ｃ、３２Ｋ）及び中間転写ベルト３７が駆動される。また高圧制御部５８は帯電ローラ（３５Ｙ、３５Ｍ、３５Ｃ、３５Ｋ）、現像ローラ（３６Ｙ、３６Ｍ、３６Ｃ、３６Ｋ）、一次転写ローラ（３８Ｙ、３８Ｍ、３８Ｃ、３８Ｋ）、及び二次転写ローラ４６にバイアスを印可する。帯電ローラ（３５Ｙ、３５Ｍ、３５Ｃ、３５Ｋ）は感光体（３３Ｙ、３３Ｍ、３３Ｃ、３３Ｋ）表面を均一に帯電させる。そして、感光体を均一に帯電した後、次に露光制御部５７に制御されたレーザスキャナ（３１Ｙ、３１Ｍ、３３Ｃ、３１Ｋ）は、画像処理部５６で処理された画像データに応じて変調したレーザ光を感光体（３３Ｙ、３３Ｍ、３３Ｃ、３３Ｋ）表面に照射する。レーザ光が照射された部分の帯電電荷が除去されることで、感光体（３３Ｙ、３３Ｍ、３３Ｃ、３３Ｋ）表面に静電潜像が形成される。現像ローラ（３６Ｙ、３６Ｍ、３６Ｃ、３６Ｋ）では帯電したトナーを静電潜像に付着させることで、各色のトナー画像を感光体（３３Ｙ、３３Ｍ、３３Ｃ、３３Ｋ）表面に形成する。そしてそれぞれ感光体（３３Ｙ、３３Ｍ、３３Ｃ、３３Ｋ）表面上に形成されたトナー画像を一次転写ローラ（３８Ｙ、３８Ｍ、３８Ｃ、３８Ｋ）により中間転写ベルト３７に順次重ね合わせるように転写する。
【００２８】
一方、先述の画像形成の間に、駆動制御部５９は給紙ローラ４２、レジローラ４４、及び定着器４７も回転駆動させる。カセット４１のシートＰは給紙ローラ４２により搬送され、シートＰが複数枚搬送されている場合は、分離ローラ４３ａ、４３ｂにより、シートＰが一枚ずつ分離されてレジローラ４４へ搬送される。次に中間転写ベルト３７上のトナー画像を、レジローラ４４で搬送されたシートＰへ、二次転写ローラ４６にバイアスを印加することで転写する。最後にシートＰ上のトナー画像は定着器４７の熱と圧力により定着され、レーザービームプリンタ３外に排出される。
【００２９】
通常、レーザービームプリンタ３は、ＳＬＥＥＰモード、もしくはＳＴＡＮＤＢＹモードで待機している。一般的に多くの場合では、レーザービームプリンタ３はＳＬＥＥＰモードでパーソナルコンピュータ２からジョブをネットワーク１経由で受信する。そしてＩＤ認証が行われると、ＳＬＥＥＰモードからスタンバイモードへ移行し（Ｍ１）、そして直ぐにＷＡＲＭＩＮＧ  ＵＰモード（Ｍ２）、ＰＲＩＮＴモード（Ｍ３）へと移行する。ＰＲＩＮＴモードが終了すると、再びＳＴＡＮＤＢＹモードへと移行し（Ｍ４）、更に一定時間、パーソナルコンピュータ２からジョブを受信しないと、ＳＬＥＥＰモードへと移行する。
【００３０】
［ユーザの距離とレーザービームプリンタ３の状態遷移］
無線ＩＤ送信装置８を所持するＩＤ認証されたユーザと無線ＩＤ認証装置７を有するレーザービームプリンタ３の距離に応じたレーザービームプリンタ３の状態遷移について説明する。図７はパーソナルコンピュータ２と無線ＩＤ認証装置７を有したレーザービームプリンタ３と無線ＩＤ送信装置８の位置関係を示したブロック図である。ユーザはパーソナルコンピュータ２からジョブを送信し、更にユーザは無線ＩＤ送信装置８を携帯して、無線ＩＤ認証装置７が設置されたレーザービームプリンタ３に印刷物を取りに向かう。図８はレーザービームプリンタ３の状態遷移を示すフローチャートである。
【００３１】
先ず図７と図８（ａ）を用いて、ＳＬＥＥＰモードからのレーザービームプリンタ３の状態遷移について説明する。Ｓ１０１にてレーザービームプリンタ３はパーソナルコピュータ２からのジョブを受信したか否かを判別する。ジョブを受信すると、Ｓ１０２にてＩＤ認証を開始する。無線ＩＤ送信装置８を所持するＩＤ認証されたユーザが、無線ＩＤ認証装置７を有するレーザービームプリンタ３の例えば２０ｍ以内の距離に入ったかを無線ＩＤ認証装置７が受信したＲＳＳＩを用いて判別する（Ｓ１０３）。ここでは、図５で説明したようにプリンタ制御部５が無線ＩＤ認証装置からの無線信号の受信信号の強度を検出してユーザと無線ＩＤ認証装置を判別する。判別した距離が２０ｍと等しくなると２０ｍ以内の距離に入ったと判断する。無線ＩＤ送信装置８を所持するＩＤ認証されたユーザがレーザービームプリンタ３の２０ｍ以内に入ったら、レーザービームプリンタ３はＳＴＡＮＤＢＹモードに移行する（Ｓ１０４）。次に無線ＩＤ認証装置７を有するレーザービームプリンタ３は、無線ＩＤ送信装置８を所持するＩＤ認証されたユーザがたとえば１０ｍ以内の距離に入ったかを判別する（Ｓ１０５）。ここではプリンタ制御部５によって判別した距離が１０ｍと等しくなると１０ｍ以内の距離に入ったと判断する。ユーザが１０ｍ以内に入ったら、レーザービームプリンタ３はＷＡＲＭＩＮＧ  ＵＰモードに移行する（Ｓ１０６）。更に無線ＩＤ認証装置７を有するレーザービームプリンタ３は、無線ＩＤ送信装置８を所持するＩＤ認証されたユーザがたとえば５ｍ以内の距離に入ったかを判別する（Ｓ１０７）。ここではプリンタ制御部５によって判別した距離が５ｍと等しくなると５ｍ以内の距離に入ったと判断する。ユーザが５ｍ以内に入ったら、レーザービームプリンタ３はＰＲＩＮＴモードに移行し、ユーザが送信したジョブを印刷する（Ｓ１０８）。ＰＲＩＮＴモードに移行すると無線ＩＤ認証装置７は無線ＩＤ送信装置８とのＩＤ認証を終了する（Ｓ１０９）。ＰＲＩＮＴモードが終了すると、ＳＴＡＮＤＢＹモードに移行し（Ｓ１１０）、更に所定時間経過するとＳＬＥＥＰモードへ移行する（Ｓ１１１）。ここで２０ｍは距離に関する第一閾値、１０ｍは第二閾値、５ｍは第三閾値になる。
【００３２】
次に図７と図８（ｂ）を用いて、ＳＴＡＮＤＢＹモードからのレーザービームプリンタ３の状態遷移について説明する。Ｓ１２１にてレーザービームプリンタ３はパーソナルコピュータ２からのジョブを受信したか否かを判別する。ジョブを受信すると、Ｓ１２２にてＩＤ認証を開始する。無線ＩＤ送信装置８を所持するＩＤ認証されたユーザが、無線ＩＤ認証装置７を有するレーザービームプリンタ３の２０ｍ以内の距離に入ったかを無線ＩＤ認証装置７が受信したＲＳＳＩを用いて判別する（Ｓ１２５）。無線ＩＤ送信装置８を所持するＩＤ認証されたユーザがレーザービームプリンタ３の１０ｍ以内に入ったら、レーザービームプリンタ３はＷＡＲＭＩＮＧ  ＵＰモードに移行する（Ｓ１２６）。更に無線ＩＤ認証装置７を有するレーザービームプリンタ３は、無線ＩＤ送信装置８を所持するＩＤ認証されたユーザが５ｍ以内の距離に入ったかを判別する（Ｓ１２７）。ユーザが５ｍ以内に入ったら、レーザービームプリンタ３はＰＲＩＮＴモードに移行し、ユーザが送信したジョブを印刷する（Ｓ１２８）。ＰＲＩＮＴモードに移行すると無線ＩＤ認証装置７は無線ＩＤ送信装置８とのＩＤ認証を終了する（Ｓ１２９）。ＰＲＩＮＴモードが終了すると、ＳＴＡＮＤＢＹモードに移行し（Ｓ１３０）、更に所定時間経過するとＳＬＥＥＰモードへ移行する（Ｓ１３１）。
【００３３】
［効果］
以上説明したように、ユーザ（無線ＩＤ送信装置８）とレーザービームプリンタ３の距離に応じて、レーザービームプリンタ３の状態を遷移させる。これにより、印刷が行われる際の印刷物を得るまでの時間を短縮し、且つ印刷が行われない際の無駄な消費電力を低減することができる。
【００３４】
なお、ＳＬＥＥＰモード、ＳＴＡＮＤＢＹモード、ＷＡＲＭＩＮＧ  ＵＰモード、ＰＲＩＮＴモードの４つのモードを有するレーザービームプリンタを説明した。しかし、各モードとそれらの動作内容は上記の内容に限定されるものではなく、例えば、消費電力の異なるＳＬＥＥＰモードやＳＴＡＮＢＹモード等を複数段階のモードを有しても良い。更に、状態遷移に関連する無線ＩＤ送信装置８を所持するＩＤ認証されたユーザと無線ＩＤ認証装置７を有するレーザービームプリンタ３の距離と各モードへの遷移の条件は、上記に限定されるものではない。各モードへの遷移の条件は、無線ＩＤ認証装置７と無線ＩＤ送信装置８の性能により適宜、最適な距離を設定すればよい。
【００３５】
また、上記では、外部装置からユーザＩＤを送信しているが、ユーザＩＤに限らず、印刷を指示したユーザであることが認識できる情報であれば良い。例えば、ユーザが所属するグループのＩＤ（識別情報）でも良い。
【００３６】
また、ＩＤ認証においては、無線ＩＤ送信装置８はスマートフォン等に代表される情報携帯端末であっても良い。情報携帯端末であれば複数の無線ＩＤ送信装置８と複数の無線ＩＤ認証装置７を用いて、精度良くＩＤ認証されたユーザとレーザービームプリンタ３の距離を検出することができる。また、スマートフォン等に代表される情報携帯端末から印刷を実行し、その情報携帯端末が無線ＩＤ送信装置８を兼ねることも可能である。更にはネットワークカメラと顔認証を用いて、ユーザとレーザービームプリンタ３のＩＤ認証と距離の検出を実施し、レーザービームプリンタ３の状態を遷移させてもよい。
【００３７】
（実施例２）
レーザービームプリンタ３においては、実施例１にて説明した、ＳＬＥＥＰモード、ＳＴＡＮＢＹモード、ＷＡＲＭＩＮＧ  ＵＰモード、ＰＲＩＮＴモードの他に、画像品質（画質ともいう）を保つためのキャリブレーションモードを有する。
【００３８】
［レーザービームプリンタ３のキャリブレーション］
キャリブレーションモードの代表的なものとしてトナー濃度補正モードがある。このトナー濃度補正モードは、温度や湿度等の環境変化による形成される画像の濃度変化（トナー濃度変化）や、カートリッジ（３２Ｙ、３２Ｍ、３２Ｃ、３２Ｋ）の経年劣化による濃度変化を補正するものである。具体的には、中間転写ベルト３７上に形成されたトナーの階調パターンを、トナー濃度検知センサ４８で読み取り、画像処理部５６における画像処理方法の変更や、高圧制御部５８は各バイアス値の補正を行っている。一般的には、ＳＬＥＥＰモードの状態のまま長時間経過した場合にトナー濃度補正モードが実行されることが多く、トナー濃度補正モードが完了する迄には、例えば十数秒要する（必要な時間は装置の構成によって異なる）。
【００３９】
［トナー濃度補正モードがある場合のレーザービームプリンタの状態遷移］
図７と図９を用いて、トナー濃度補正モードが指定されている状態における、レーザービームプリンタ３の状態遷移について説明する。Ｓ２０１にてレーザービームプリンタ３はパーソナルコピュータ２からのジョブを受信したか否かを判別する。ジョブを受信すると、Ｓ２０２にてＩＤ認証を開始する。無線ＩＤ認証装置７を有するレーザービームプリンタ３は、無線ＩＤ送信装置８を所持するＩＤ認証されたユーザが２５ｍ以内の距離に入ったかを無線ＩＤ認証装置７が受信したＲＳＳＩを用いて判別する（Ｓ２０３）。無線ＩＤ送信装置８を所持するＩＤ認証されたユーザが無線ＩＤ認証装置７を有するレーザービームプリンタ３の２５ｍ以内に入ったら、レーザービームプリンタ３はＳＴＡＮＤＢＹモードに移行し（Ｓ２０４）、直後に濃度補正モードを実行する。次に無線ＩＤ認証装置７を有するレーザービームプリンタ３は、無線ＩＤ送信装置８を所持するＩＤ認証されたユーザが１０ｍ以内の距離に入ったかを判別する（Ｓ２０６）。１０ｍ以内に入ったら、レーザービームプリンタ３はＷＡＲＭＩＮＧ  ＵＰモードに移行する（Ｓ２０７）。更に無線ＩＤ認証装置７を有するレーザービームプリンタ３は、無線ＩＤ送信装置８を所持するＩＤ認証されたユーザが５ｍ以内の距離に入ったかを判別し（Ｓ２０８）、５ｍ以内に入ったらトナー濃度補正モードが終了しているか判別する（Ｓ２０９）。濃度補正モードが終了していたら、レーザービームプリンタ３はＰＲＩＮＴモードに移行し、ユーザが送信したジョブを印刷する（Ｓ２１０）。ＰＲＩＮＴモードに移行すると無線ＩＤ認証装置７は無線ＩＤ送信装置８とのＩＤ認証を終了し（Ｓ２１１）。ＰＲＩＮＴモードが終了すると、ＳＴＡＮＤＢＹモードに移行し（Ｓ２１２）、更に所定時間経過するとＳＬＥＥＰモードへ移行する（Ｓ２１３）。
【００４０】
本実施例では、トナー濃度補正モードの時間を考慮して、実施例１における２０ｍよりも遠い２５ｍを閾値として設定した。なお、距離の設定については一例であって、レーザービームプリンタ３の仕様の違いに応じて最適な距離を設定すれば良い。
【００４１】
［効果］
以上説明したように、画質を維持するためにトナー濃度補正モードを実行する場合でも、実施例１と同様の効果が得られる。
【００４２】
なお、キャリブレーションモードはトナーの濃度補正モードに限定されるものでなく、色ずれ補正を始めとする、印刷動作に先立ち実施される各種補正モードにおいても、同様のレーザービームプリンタ３の状態遷移を実施することが可能である。
【００４３】
（実施例３）
実施例１では、ユーザ（無線ＩＤ送信装置８）とレーザービームプリンタ３（無線ＩＤ認証装置７）との距離が、夫々２０ｍ以内の時にＳＬＥＥＰモードからＳＴＡＮＤＢＹモードへ遷移させた。さらに、１０ｍの時にＳＴＡＮＤＢＹモードからＷＡＲＭＩＮＧ  ＵＰモードへ、５ｍの時ＷＡＲＭＩＮＧ  ＵＰモードからＰＲＩＮＴモードへ遷移させた。実施例３では、各モードから次のモードへの遷移させるための、無線ＩＤ送信装置８を所持するＩＤ認証されたユーザと無線ＩＤ認証装置７を有するレーザービームプリンタ３との距離の基準を補正することを可能にしている。
【００４４】
［レーザービームプリンタの状態遷移基準の補正］
図１０はレーザービームプリンタ３の状態遷移基準の補正を説明する図である。それぞれｄ１はＳＬＥＥＰモードからＳＴＡＮＤＢＹモード、ｄ２はＳＴＡＮＤＢＹモードからＷＡＲＭＩＮＧ  ＵＰモード、ｄ３はＷＡＲＭＩＮＧ  ＵＰモードからＰＲＩＮＴモードへ遷移するための距離の基準である。例えば、ユーザのパーソナルコンピュータ２が、レーザービームプリンタ３（無線ＩＤ認証装置７）の２０ｍ以内にある場合、ＳＬＥＥＰモードからＳＴＡＮＤＢＹモードへ遷移するための距離の基準ｄ１（第一閾値）を１４ｍに設定する。次に、ＳＴＡＮＤＢＹモードからＷＡＲＭＩＮＧ  ＵＰモードへ遷移するための距離の基準ｄ２（第二閾値）を１４ｍ未満である８ｍに設定する。更にＷＡＲＭＩＮＧ  ＵＰモードからＰＲＩＮＴモードへ遷移するための距離の基準ｄ３（第三閾値）を８ｍ未満である５ｍに設定する。
【００４５】
このようにパーソナルコンピュータ２とレーザービームプリンタ３の距離に応じて、モード遷移の基準となる距離を補正する方法は、例えば、ユーザが無線ＩＤ認証装置に対して手動で設定する。また、パーソナルコンピュータ２から設定コマンドによって設定することが可能である。
【００４６】
［効果］
以上説明したように、本実施例によれば、実施例１の効果に加えて、パーソナルコンピュータ２とレーザービームプリンタ３のレイアウトが変更された場合でも距離に応じたモード遷移が可能となる。
【００４７】
（実施例４）
実施例４は、各モードから次のモードへの遷移させるための、無線ＩＤ送信装置８を所持するＩＤ認証されたユーザと無線ＩＤ認証装置７を有するレーザービームプリンタ３との距離の基準を自動的に補正することが特徴である。
【００４８】
［レーザービームプリンタ３の状態遷移基準の自動補正］
図１１はレーザービームプリンタ３の状態遷移の基準値の自動補正を説明する図である。ｔ１はＳＬＥＥＰモードからＳＴＡＮＤＢＹモードを経由しＷＡＲＭＩＮＧ  ＵＰモードに遷移可能になるために必要な時間である。ｔ２はＳＴＡＮＤＢＹモードからＷＡＲＭＩＮＧ  ＵＰモードを経由しＰＲＩＮＴモードに遷移可能になるために必要な時間である。ｔ３はＰＲＩＮＴモードに移行してから、印刷物がレーザービームプリンタ３外へ排出されるまでの時間である。
【００４９】
ここで、ユーザの歩く標準的な速度をＶａとすると、ＷＡＲＭＩＮＧ  ＵＰモードからＰＲＩＮＴモードに遷移するために最適な、ユーザ（無線ＩＤ送信装置８）とレーザービームプリンタ３（無線ＩＤ認証装置７）との距離はｐ３＝Ｖａ×ｔ３となる。また同様に、ＳＴＡＮＤＢＹモードからＷＡＲＭＩＮＧ  ＵＰモードに移行するために最適な無線ＩＤ送信装置８を所持するＩＤ認証されたユーザと無線ＩＤ認証装置７を有するレーザービームプリンタ３との距離はｐ２＝ｐ３＋Ｖａ×ｔ２となる。更にＳＬＥＥＰモードからＳＴＡＮＤＢＹモードに移行するために最適な無線ＩＤ送信装置８を所持するＩＤ認証されたユーザと無線ＩＤ認証装置７を有するレーザービームプリンタ３との距離はｐ１＝ｐ３＋ｐ２＋Ｖａ×ｔ１となる。これにより、ユーザの歩く速度、すなわち、無線ＩＤ送信装置８の移動速度を考慮して、状態遷移の基準を設定することができる。
【００５０】
実際にユーザが第一の所定位置ｐ１から第二の所定位置ｐ２に到達する時間、及びｐ２から第三の所定位置ｐ３に到達する時間はＲＳＳＩ値から計測することができる。例えば、ぞれぞれの時間をｔ１ｕ、ｔ２ｕとし、ｐ３からレーザービームプリンタ３に到達するまでの速度がｐ２からｐ３に移動するときの速度と同じであるとする。
【００５１】
この場合、ＷＡＲＭＩＮＧ  ＵＰモードからＰＲＩＮＴモードに移行するための、ユーザ（無線ＩＤ送信装置８）とレーザービームプリンタ３（無線ＩＤ認証装置７）との補正後の距離はｐ３ｕ＝Ｖａ×ｔ３２／ｔ２ｕと設定することができる。また同様にＳＴＡＮＤＢＹモードからＷＡＲＭＩＮＧ  ＵＰモードに移行するための補正後の距離はｐ２ｕ＝ｐ３ｕ＋Ｖａ×ｔ２２／ｔ２ｕと設定することができる。また、ＳＬＥＥＰモードからＳＴＡＮＤＢＹモードに移行するための距離はｐ１ｕ＝ｐ３ｕ＋ｐ２ｕ＋Ｖａ×ｔ１２／ｔ１ｕと設定することができる。
【００５２】
［効果］
以上説明したように、実施例４によれば、実施例１の効果に加えて、ユーザの歩く速度を考慮し、かつ、パーソナルコンピュータ２とレーザービームプリンタ３のレイアウトが変更された場合でも距離に応じたモード遷移が可能となる。
【００５３】
（実施例５）
実施例５は、各モードにおける、無線ＩＤ送信装置８と無線ＩＤ認証装置７の通信周期を異なるように設定する場合の一例である。
【００５４】
［無線ＩＤ送信装置８と無線ＩＤ認証装置７の通信周期］
無線ＩＤ送信装置８と無線ＩＤ認証装置７の通信周期（送信間隔）について説明する。図１２はレーザービームプリンタ３の状態遷移と無線ＩＤ送信装置８と無線ＩＤ認証装置７の通信周期を示した図である。図中ｆ０、ｆ１、ｆ２、ｆ３は無線ＩＤ送信装置８と無線ＩＤ認証装置７の通信周期を示しており、ｆ０＜ｆ１＜ｆ２＜ｆ３の順に通信を頻繁に行っていることを示している。このように通信周期（送信間隔）を変更するのは、特にＳＴＡＮＢＹモードやＳＬＥＥＰモードにおいて、通信による電力消費量をより低減するためである。
【００５５】
例えば、ｆ０では１ｓ間隔で通信を行うのに対して、ｆ１では１００ｍｓ間隔で通信を行っている。レーザービームプリンタ３がＳＬＥＥＰモードの時は、無線ＩＤ送信装置８と無線ＩＤ認証装置７による電力使用量を最小限に留めることが望ましい。そのために、最低の通信周期ｆ０で無線ＩＤ送信装置８と無線ＩＤ認証装置７は通信を行う。パーソナルコンピュータ２からレーザービームプリンタ３にジョブが送信されると、無線ＩＤ認証装置７は無線ＩＤ送信装置８に対して、通信周期ｆ０よりも通信周期の短い、通信周期ｆ１で通信するようにコマンドを送信する。これは、ユーザとレーザービームプリンタ３の距離を精度良く検出するためである。無線ＩＤ送信装置８はこのコマンドを受け取ると、通信周期ｆ１の通信周期でＩＤを無線ＩＤ認証装置７に送信する。更にユーザがレーザービームプリンタ３に近づき、ＳＬＥＥＰモードからＳＴＡＮＤＢＹモードに以降すると、無線ＩＤ認証装置７は無線ＩＤ送信装置８に対して、通信周期ｆ１よりも通信周期の短い、通信周期ｆ２で通信するようにコマンドを送信する。これは、ユーザとレーザービームプリンタ３の距離を更に精度良く検出するためである。無線ＩＤ送信装置８はこのコマンドを受け取ると、通信周期ｆ２の通信周期でＩＤを無線ＩＤ認証装置７に送信する。更にユーザがレーザービームプリンタ３に近づき、ＳＴＡＮＤＢＹモードからＷＡＲＭＩＮＧ  ＵＰモードに移行すると無線ＩＤ認証装置７は無線ＩＤ送信装置８に対して、通信周期ｆ２よりも通信周期の短い通信周期ｆ３で通信するようにコマンドを送信する。無線ＩＤ送信装置８はこのコマンドを受け取ると、通信周期ｆ３の通信周期でＩＤを無線ＩＤ認証装置７に送信する。そして、ユーザがレーザービームプリンタ３に更に近づき、ＷＡＲＭＩＮＧ  ＵＰモードからＰＲＩＮＴモードに遷移すると、無線ＩＤ認証装置７は無線ＩＤ送信装置８に対して、最も長い通信周期ｆ０で通信するようにコマンドを送信する。無線ＩＤ送信装置８はこのコマンドを受け取ると、通信周期ｆ０の通信周期でＩＤを無線ＩＤ認証装置７に送信する。ＰＲＩＮＴモードが終了し、ＳＴＡＮＤＢＹモードやＳＬＥＥＰモードに状態が遷移しても、レーザービームプリンタ３が次のジョブを受け取るまで、無線ＩＤ送信装置８と無線ＩＤ認証装置７は通信周期ｆ０で通信し続ける。
【００５６】
このように実施例５は、パーソナルコンピュータ２から画像データを送信する前後で、通信周期（ユーザＩＤを送信する送信間隔）を変更する。もしくは、パーソナルコンピュータ２から送信される画像データに基づいた画像形成が開始する前後で、通信周期（ユーザＩＤを送信する送信間隔）を変更することを特徴とする。
【００５７】
［効果］
以上説明したように、本実施例によれば、無線ＩＤ送信装置８と無線ＩＤ認証装置７の消費電力を一層低減しつつ、且つ精度良くユーザとレーザービームプリンタ３の距離の検出を行うことができる。
【００５８】
（実施例６）
実施例６は、非接触方式と接触方式のＩＤ認証機能を有した画像形成システムを特徴とする。
【００５９】
［非接触方式と接触方式のＩＤ認証機能を有した画像形成システムの構成図］
図１３は本発明に係る非接触方式と接触方式のＩＤ認証機能を有した画像形成システムの構成図である。画像形成システムはネットワーク１に接続されたパーソナルコンピュータ２、同じくネットワーク１上に接続されたレーザービームプリンタ３を有する。さらに、レーザービームプリンタ３に第一認証手段としての非接触方式の無線ＩＤ認証装置７と、第二認証手段としての接触方式の無線ＩＤ認証装置９、及びユーザが所有する非接触方式の無線ＩＤ送信装置８と接触方式の無線ＩＤ送信装置１０を有する。
【００６０】
ユーザが印刷を指示する際は、パーソナルコンピュータ２からネットワーク１を介して、レーザービームプリンタ３に印刷に関するコマンドや、画像データを送信する。レーザービームプリンタ３は印刷に関するコマンドや、画像データを受信した時点では印刷動作に移行しない。ユーザが所有する非接触方式及び接触方式の無線ＩＤ送信装置８、１０の夫々から送信されるＩＤをレーザービームプリンタ３に搭載された非接触方式及び接触方式の無線ＩＤ認証装置７、９によるＩＤ認証と関連付けられて印刷動作を実施する。他は実施例１の構成と同じであるため、説明を省略する。
【００６１】
［非接触方式と接触方式のＩＤ認証機能をもちいたレーザービームプリンタ３の状態遷移］
無線ＩＤ送信装置８（非接触方式）と無線ＩＤ送信装置１０（接触方式）を所持するＩＤ認証されたユーザと無線ＩＤ認証装置７（非接触方式）と無線ＩＤ認証装置９（接触方式）を有するレーザービームプリンタ３の距離に応じた状態遷移について説明する。
【００６２】
図１４は非接触方式と接触方式のＩＤ認証機能を有したレーザービームプリンタ３の状態遷移を示すフローチャートである。ＳＬＥＥＰモードからのレーザービームプリンタ３の状態遷移について説明する。レーザービームプリンタ３はパーソナルコピュータ２からのジョブを受信したか否かを判別する（Ｓ６０１）。ジョブを受信すると、非接触方式のＩＤ認証を開始する（Ｓ６０２）。非接触方式の無線ＩＤ送信装置８を所持するＩＤ認証されたユーザが、非接触方式の無線ＩＤ認証装置７を有するレーザービームプリンタ３の２０ｍ以内の距離に入ったかを非接触方式の無線ＩＤ認証装置７が受信したＲＳＳＩを用いて判別する（Ｓ６０３）。非接触方式の無線ＩＤ送信装置８を所持するＩＤ認証されたユーザがレーザービームプリンタ３の２０ｍ以内に入ったら、レーザービームプリンタ３はＳＴＡＮＤＢＹモードに移行する（Ｓ６０４）。次に非接触方式の無線ＩＤ認証装置７を有するレーザービームプリンタ３は、非接触方式の無線ＩＤ送信装置８を所持するＩＤ認証されたユーザが１０ｍ以内の距離に入ったかを判別する（Ｓ６０５）。１０ｍ以内に入ったら、レーザービームプリンタ３はＷＡＲＭＩＮＧ  ＵＰモードに移行する（Ｓ６０６）。そして接触方式の無線ＩＤ送信装置１０を所持するユーザがレーザービームプリンタ３に到達し、接触方式の無線ＩＤ送信装置１０を接触方式の無線ＩＤ認証装置９にかざすことに接触方式のＩＤ認証が行われたかを判別する（Ｓ６０７）。ＩＤ認証が行われると、ＰＲＩＮＴモードに移行し、ユーザが送信したジョブを印刷する（Ｓ６０８）。ＰＲＩＮＴモードに移行すると非接触方式の無線ＩＤ認証装置７は非接触方式の無線ＩＤ送信装置８とのＩＤ認証を終了する（Ｓ６０９）。ＰＲＩＮＴモードが終了すると、ＳＴＡＮＤＢＹモードに移行し（Ｓ６１０）、更に所定時間経過するとＳＬＥＥＰモードへ移行する（Ｓ６１１）。実施例６におけるＳＴＡＮＤＢＹモードからのレーザービームプリンタ３の状態遷移は、上記のＳ６０１〜Ｓ６１０の状態遷移と実施例１で説明したＳＴＡＮＤＢＹモードからのレーザービームプリンタ３の状態遷移との組み合わせのため説明を省略する。
【００６３】
［効果］
以上説明したように、実施例６によれば、レーザービームプリンタ３のＰＲＩＮＴモードへの移行を、接触方式のＩＤ認証とすることで、レーザービームプリンタ３の近くを通り過ぎた際の意図しないＰＲＩＮＴモードへの移行を抑制することができる。
【符号の説明】
【００６４】
１  ネットワーク
２  パーソナルコンピュータ
３  レーザービームプリンタ
７  非接触方式の無線ＩＤ認証装置
８  非接触方式の無線ＩＤ送信装置
【図１】
2016199013.tif 000003
【図２】
2016199013.tif 000004
【図３】
2016199013.tif 000005
【図４】
2016199013.tif 000006
【図５】
2016199013.tif 000007
【図６】
2016199013.tif 000008
【図７】
2016199013.tif 000009
【図８】
2016199013.tif 000010
【図９】
2016199013.tif 000011
【図１０】
2016199013.tif 000012
【図１１】
2016199013.tif 000013
【図１２】
2016199013.tif 000014
【図１３】
2016199013.tif 000015
【図１４】
2016199013.tif 000016